(57)【要約】【課題】本発明は、折込ローラの曲げ変形を低減し、稼働時の安定性を強化し、折込ローラの回転による振動を低減すると同時に、製品の品質及び生産量の向上を図るものである。【解決手段】本発明は、特に、一折込ローラと複数の組合せ式軸受装置を包括する組合せ式軸受装置を有する折込ローラモジュールに関するものである。組合せ式軸受装置を利用して折込ローラを挟持することで、必要に応じて軸受装置の数量と支持位置とを増設することができるため、折込ローラの曲げ変形を低減し、稼働時の安定性を強化し、振動を低減すると同時に、製品の品質及び生産量の向上することができる。【選択図】図２
2015078062.tif 000002
【特許請求の範囲】
【請求項１】
一中央軸及び複数のローラを有する一折込ローラと、
それぞれ一軸受座、二Ｃ型軸受及び一軸受ハウジングを含み、該折込ローラを挟持する複数の組合せ式軸受装置と、
を包括することを特徴とする組合せ式軸受装置を有する折込ローラモジュール。
【請求項２】
該ローラはそれぞれの間に一間隙を有し、該組合せ式軸受装置はそれぞれ該間隙に設けることを特徴とする請求項１に記載の組合せ式軸受装置を有する折込ローラモジュール。
【請求項３】
これらＣ型軸受は該間隙にある該中央軸を取囲むように設置し、これらＣ型軸受を固定するように該軸受座及び該軸受ハウジングを結合することを特徴とする請求項２に記載の組合せ式軸受装置を有する折込ローラモジュール。
【請求項４】
該軸受座及び該軸受ハウジングはネジによって螺設することを特徴とする請求項１に記載の組合せ式軸受装置を有する折込ローラモジュール。
【請求項５】
該ローラはそれぞれ複数の突起と複数の凹スロットとを有し、適切な間隔で交互に設置することを特徴とする請求項１に記載の組合せ式軸受装置を有する折込ローラモジュール。
【請求項６】
該ローラは該突起と該凹スロットとの近傍に複数の通気孔を設けることを特徴とする請求項５に記載の組合せ式軸受装置を有する折込ローラモジュール。
【発明の詳細な説明】
【技術分野】
【０００１】
本発明は、特に組合せ式軸受装置を有する折込ローラモジュールに関するものである。
【背景技術】
【０００２】
まず、図１を参照すると、折込部の一例を表す構造模式図である。図示されているように、該折込部は一組の固定刃１２と、一組の受け刃１４と、一組の折込ローラ１６とを含んでいる。
【０００３】
従来、連続的な原紙１１は該固定刃１２及び該受け刃１４によって一定の長さの用紙に切断されたあと、該折込ローラ１６の間に送り込まれ、該折込ローラ１６の相対する突起１６１と凹スロット１６３との作用により、用紙に折込線が圧出される。その後、さらに折込アーム１８で用紙を既定の箇所に相互に折込み、相互に折込まれた用紙束１３が形成されている。
【０００４】
そのうち、上述の作業工程において、二折込ローラ１６間の隙間は相互に折込まれた用紙の束の品質に対して多大な影響を及ぼしている。もしこの隙間が小さ過ぎると、稼働中に該折込ローラ１６同士がぶつかり合い、用紙の損傷だけでなく、設備寿命を損ね、さらには設備の損傷を引き起こす恐れがある。逆に、もしこの隙間が大き過ぎると、用紙の折込線の圧出効果が好ましくないと同時に、相互に折込まれた用紙束の品質も影響を受ける。
【０００５】
また、従来の該折込ローラ１６は、その両側及び中央にのみ、固定式の軸受装置１７が設置し、三点式の支持機構を形成している。そのため、当該業者が生産量の増加されるために該折込ローラ１６の幅を広げようとしても、上述の問題が顕著なものとなっている。また、幅を広げた折込ローラは、同時に曲げ変形や回転による振動も大きくするという影響を及ぼす。そのため、どのように折込ローラの構造強度及び稼働時の安定性を強化するかが、急務に解決しなければならない課題となっている。
【発明の概要】
【発明が解決しようとする課題】
【０００６】
本発明の目的は、特に組合せ式軸受装置を有する折込ローラモジュールを提供するものである。
【０００７】
本発明のもう一つの目的は、組合せ式軸受装置を利用して折込ローラを挟持することで折込ローラの構造強度を強化する組合せ式軸受装置を有する折込ローラモジュールを提供するものである。
【０００８】
さらに、本発明のもう一つの目的は、必要に応じて軸受装置の数量及び支持位置を増設することができ、これによって折込ローラの曲げ変形を低減し、稼働時の安定性を強化する組合せ式軸受装置を有する折込ローラモジュールを提供するものである。
【課題を解決するための手段】
【０００９】
本発明は、一中央軸及び複数のローラを有する一折込ローラと、それぞれ一軸受座、二Ｃ型軸受及び一軸受ハウジングを含み、該折込ローラを挟持する複数の組合せ式軸受装置と、を包括する組合せ式軸受装置を有する折込ローラモジュールである。
【００１０】
上述の組合せ式軸受装置を有する折込ローラモジュールにおいて、該ローラはそれぞれの間に一間隙を有し、該組合せ式軸受装置はそれぞれ該間隙に設けている。
【００１１】
上述の組合せ式軸受装置を有する折込ローラモジュールにおいて、これらＣ型軸受は該間隙にある該中央軸を取囲むように設置し、これらＣ型軸受を固定するように該軸受座及び該軸受ハウジングを結合している。
【００１２】
上述の組合せ式軸受装置を有する折込ローラモジュールにおいて、該軸受座及び該軸受ハウジングはネジによって螺設している。
【００１３】
上述の組合せ式軸受装置を有する折込ローラモジュールにおいて、該ローラはそれぞれ複数の突起と複数の凹スロットとを有し、適切な間隔で交互に設置している。
【００１４】
上述の組合せ式軸受装置を有する折込ローラモジュールにおいて、該ローラは該突起と該凹スロットとの近傍に複数の通気孔を設けている。
【図面の簡単な説明】
【００１５】
【図１】折込部の一例を表す構造模式図である。
【図２】本発明に係る一実施例を表す模式図である。
【図３】本発明に係る図２において図示された実施例の部分拡大図である。
【図４】本発明に係る図２において図示された実施例のその他の部分拡大図である。
【図５】本発明に係る図２において図示された実施例の部分断面図である。
【発明を実施するための形態】
【００１６】
まず、図２乃至図５を参照すると、それぞれ本発明の組合せ式軸受装置を有する折込ローラモジュールに係る一実施例の模式図、部分拡大図及び部分断面図である。図示されているとおり、本発明の組合せ式軸受装置を有する折込ローラモジュールは、一折込ローラ２２及び複数の組合せ式軸受装置２６を包括している。
【００１７】
そのうち、該折込ローラ２２は、一中央軸２２１及び複数のローラ２２３を有する。該組合せ式軸受装置２６はそれぞれ一軸受座２６１、二Ｃ型軸受２６５及び一軸受ハウジング２６３を包括し、該折込ローラ２２を挟持しており、いくつかの支持位置を提供することで、折込ローラの曲げ変形を低減し、稼働時の安定性を強化している。
【００１８】
本発明に係る一実施例において、該ローラ２２３はそれぞれの間に一間隙２２９を有し、該組合せ式軸受装置２６は、該折込ローラ２２の挟持のために、それぞれ適切な該間隙２２９に設けている。
【００１９】
本発明に係る一実施例において、該組合せ式軸受装置２６は二Ｃ型軸受２６５で該ローラ２２３の該間隙２２９にある該中央軸２２１に取囲むように設置し、これらＣ型軸受２６５を固定するように該軸受座２６１及び該軸受ハウジング２６３を結合している。
【００２０】
本発明に係る一実施例において、該軸受座２６１及び該軸受ハウジング２６３はそれぞれネジ孔（図示されていない）及び一穿孔２６４を設け、一ネジ２６７で螺設している。
【００２１】
本発明に係る一実施例において、該ローラ２２３はそれぞれ複数の突起２２５と複数の凹スロット２２７とを等間隔且つ交互に設置している。
【００２２】
本発明に係る一実施例において、該ローラ２２３は該突起２２５と該凹スロット２２７との近傍に複数の通気孔２２４を設け、通気によって用紙が該ローラ２２３に付着している。
【００２３】
上述の説明から分かるとおり、本発明の構造を利用し、該折込ローラ２２の幅に基づき該組合せ式軸受装置２６を適量に用い、該間隙２２９の適切な位置に設置し、十分な支持力を提供することで、該折込ローラ２２の曲げ変形を低減し、稼働時の安定性を強化し、折込ローラの回転による振動を低減すると同時に、製品の品質及び生産量を向上することができる。
【００２４】
なお、上述したものは、本発明の実施例に過ぎず、本発明の範囲を限定するものではなく、本発明に係る特許請求の範囲で述べている形状、構造、特徴、方法及びその精神による変化及び修正は、本発明に係る特許請求の範囲に属するものである。
【符号の説明】
【００２５】
１１        原紙
１２        固定刃
１３        用紙束
１４        受け刃
１６        折込ローラ
１６１      突起
１６３      凹スロット
１７        軸受装置
１８        折込アーム
２０        組合せ式軸受装置を有する折込ローラモジュール
２２        折込ローラ
２２１      中央軸
２２３      ローラ
２２４      通気孔
２２５      突起
２２７      凹スロット
２２９      間隙
２６        組合せ式軸受装置
２６１      軸受座
２６３      軸受ハウジング
２６４      穿孔
２６５      Ｃ型軸受
２６７      ネジ
【図１】
2015078062.tif 000003
【図２】
2015078062.tif 000004
【図３】
2015078062.tif 000005
【図４】
2015078062.tif 000006
【図５】
2015078062.tif 000007